【手続補正書】
【提出日】平成27年2月16日(2015.2.16)
【手続補正１】
【補正対象書類名】特許請求の範囲
【補正対象項目名】全文
【補正方法】変更
【補正の内容】
【特許請求の範囲】
【請求項１】
支持体、該支持体上に形成された電子輸送層、該電子輸送層上に形成された感光層を有する電子写真感光体であって、
該電子輸送層は、炭素原子、窒素原子および酸素原子を含有する硬化膜であり、
該電子輸送層が下記式（１）〜（３）を満たすことを特徴とする電子写真感光体。
σ（Ｃ）≦１．５      （１）
σ（Ｎ）≦１．５      （２）
σ（Ｏ）≦１．５      （３）
（式（１）〜（３）中、
σ（Ｃ）は、１０点における該電子輸送層の水素原子を除く全原子に対する該炭素原子の比率（ａｔｏｍｓ  ％）をＸ線光電子分光法（ＥＳＣＡ）によって分析したときの、得られた１０点の値の標準偏差を示す。
σ（Ｎ）は、１０点における該電子輸送層の水素原子を除く全原子に対する該窒素原子の比率（ａｔｏｍｓ  ％）をＸ線光電子分光法（ＥＳＣＡ）によって分析したときの、得られた１０点の値の標準偏差を示す。
σ（Ｏ）は、１０点における該電子輸送層の水素原子を除く全原子に対する該酸素原子の比率（ａｔｏｍｓ  ％）をＸ線光電子分光法（ＥＳＣＡ）によって分析したときの、得られた１０点の値の標準偏差を示す。
該１０点は、該電子輸送層の上端の点と下端の点、および電子輸送層の膜厚を深さ方向に９等分する８個の点からなる。）
【請求項２】
前記標準偏差σ（Ｃ）、σ（Ｎ）、およびσ（Ｏ）が、下記式（４）〜（６）を満たす請求項１に記載の電子写真感光体。
σ（Ｃ）≦１．０      （４）
σ（Ｎ）≦１．０      （５）
σ（Ｏ）≦１．０      （６）
【請求項３】
前記電子輸送層中の前記炭素原子の比率、前記窒素原子の比率、および前記酸素原子の比率の合計が、９０％以上１００％以下（ＥＳＣＡにおいて測定感度のない水素原子を除く）である請求項１または２に記載の電子写真感光体。
【請求項４】
前記電子輸送層が、重合性官能基を有する電子輸送物質、重合性官能基を有する熱可塑性樹脂、および架橋剤を含む組成物の硬化物を含有する請求項１から３のいずれか１項に記載の電子写真感光体。
【請求項５】
前記熱可塑性樹脂の重量平均分子量が５０００以上４０００００以下である請求項４に記載の電子写真感光体。
【請求項６】
前記熱可塑性樹脂の重量平均分子量が５０００以上３０００００以下である請求項５に記載の電子写真感光体。
【請求項７】
前記電子輸送物質の重合性官能基が、ヒドロキシ基、チオール基、アミノ基、メトキシ基及びカルボキシル基からなる群より選択される少なくとも１種である請求項４から６のいずれか１項に記載の電子写真感光体。
【請求項８】
前記電子輸送物質の分子量が１０００以下である請求項４から７のいずれか１項に記載の電子写真感光体。
【請求項９】
前記電子輸送物質が、下記式（Ａ１）〜（Ａ９）のいずれかで示される化合物である請求項４から８のいずれか１項に記載の電子写真感光体。
【化１】
2014029502.tif 000001
（式（Ａ１）〜（Ａ９）中、Ｒ１０１〜Ｒ１０６、Ｒ２０１〜Ｒ２１０、Ｒ３０１〜Ｒ３０８、Ｒ４０１〜Ｒ４０８、Ｒ５０１〜Ｒ５１０、Ｒ６０１〜Ｒ６０６、Ｒ７０１〜Ｒ７０８、Ｒ８０１〜Ｒ８１０、Ｒ９０１〜Ｒ９０８は、それぞれ独立に、下記式（Ａ）で示される１価の基、水素原子、シアノ基、ニトロ基、ハロゲン原子、アルコキシカルボニル基、置換もしくは無置換のアルキル基、置換もしくは無置換のアリール基または置換もしくは無置換の複素環を示す。該アルキル基の主鎖中の炭素原子の１つは、Ｏ、Ｓ、ＮＨ、ＮＲ１００１（Ｒ１００１はアルキル基）で置き換わっても良い。該置換のアルキル基の置換基は、アルキル基、アリール基、アルコキシカルボニル基、またはハロゲン原子である。該置換のアリール基または該置換の複素環基の置換基は、ハロゲン原子、ニトロ基、シアノ基、アルキル基、ハロゲン置換アルキル基である。Ｚ２０１、Ｚ３０１、Ｚ４０１およびＺ５０１は、それぞれ独立に、炭素原子、窒素原子、または酸素原子を示す。Ｚ２０１が酸素原子である場合はＲ２０９およびＲ２１０は存在せず、Ｚ２０１が窒素原子である場合はＲ２１０は存在しない。Ｚ３０１が酸素原子である場合はＲ３０７およびＲ３０８は存在せず、Ｚ３０１が窒素原子である場合はＲ３０８は存在しない。Ｚ４０１が酸素原子である場合はＲ４０７およびＲ４０８は存在せず、Ｚ４０１が窒素原子である場合はＲ４０８は存在しない。Ｚ５０１が酸素原子である場合はＲ５０９およびＲ５１０は存在せず、Ｚ５０１が窒素原子である場合はＲ５１０は存在しない。）
【化２】
2014029502.tif 000002
（式（Ａ）中、α、β、およびγの少なくとも１つは置換基を有する基であり、該置換基は、ヒドロキシ基、チオール基、アミノ基、カルボキシル基、およびメトキシ基からなる群より選択される少なくとも１種の基である。ｌおよびｍは、それぞれ独立に、０または１であり、ｌとｍの和は、０以上２以下である。
αは、主鎖の原子数が１〜６のアルキレン基、炭素数１〜６のアルキル基で置換された主鎖の原子数が１〜６のアルキレン基、ベンジル基で置換された主鎖の原子数１〜６のアルキレン基、アルコシキカルボニル基で置換された主鎖の原子数１〜６のアルキレン基、またはフェニル基で置換された主鎖の原子数が１〜６のアルキレン基を示す。これらの基は、置換基として、ヒドロキシ基、チオール基、アミノ基、カルボキシル基およびメトキシ基からなる群より選択される少なくとも１種の基を有しても良い。該アルキレン基の主鎖中の炭素原子の１つは、ＯまたはＳまたはＮＨまたはＮＲ１９（Ｒ１９はアルキル基である。）で置き換わっていても良い。
βは、フェニレン基、炭素数１〜６のアルキル置換フェニレン基、ニトロ置換フェニレン基、ハロゲン置換フェニレン基、またはアルコキシ基置換フェニレン基を示す。これらの基は、置換基として、ヒドロキシ基、チオール基、アミノ基、カルボキシル基、およびメトキシ基からなる群より選択される少なくとも１種の基を有しても良い。
γは、水素原子、主鎖の原子数が１〜６のアルキル基、または炭素数１〜６のアルキル基で置換された主鎖の原子数が１〜６のアルキル基を示す。これらの基は、置換基として、ヒドロキシ基、チオール基、アミノ基、カルボキシル基、およびメトキシ基からなる群より選択される少なくとも１種の基を有しても良い。該アルキル基の主鎖中の炭素原子の１つは、ＯまたはＳまたはＮＨまたはＮＲ１００３（Ｒ１００３はアルキル基である。）で置き換わっていても良い。）
【請求項１０】
重合性官能基を有する熱可塑性樹脂が、下記式（Ｄ）に示される構造単位を有する請求項４から９のいずれか１項に記載の電子写真感光体。
【化３】
2014029502.tif 000003
（式（Ｄ）中、Ｒ６１は、水素原子またはアルキル基を示す。Ｙ１は、単結合、アルキレン基またはフェニレン基を示す。Ｗ１は、ヒドロキシ基、チオール基、アミノ基、カルボキシル基、またはメトキシ基を示す。）
【請求項１１】
前記架橋剤が、イソシアネート基、ブロック化イソシアネート基、または−ＣＨ２−ＯＲ１で示される基（Ｒ１は、水素原子またはアルキル基）を３〜６個有する化合物である請求項４から１０のいずれか１項に記載の電子写真感光体。
【請求項１２】
前記架橋剤の分子量が１０００以下である請求項４から１１のいずれか１項に記載の電子写真感光体。
【請求項１３】
請求項１から１２のいずれか１項に記載の電子写真感光体と、帯電手段、現像手段、転写手段およびクリーニング手段からなる群より選択される少なくとも１つの手段とを一体に支持し、電子写真装置に着脱自在であるプロセスカートリッジ。
【請求項１４】
請求項１から１２のいずれか１項に記載の電子写真感光体、ならびに、帯電手段、露光手段、現像手段および転写手段を有する電子写真装置。